(57)【要約】【課題】容易に組立可能な組立式容器を提供する。【解決手段】一方の互いに対向する側板部３は、それぞれの上部両端から横方向へ突出した突片部５と、その突片部５の先端から下方へ突出した引掛部６を有する。他方の互いに対向する側板部４は、ぞれぞれの上端縁にその長手方向の所定範囲に渡って形成された凹部７を有している。凹部７は、その中央部に配設されると共に引掛部６の通過を許容する挿通部８と、凹部７の両端側に配設されると共に突片部５を受ける受け部９と、挿通部８と受け部９の間に配設されると共に挿通部８と受け部９の間での突片部５の移動を許容するが引掛部６の通過を阻止する段差部１０を有する。【選択図】図１
2010111408.tif 000002
【特許請求の範囲】
【請求項１】
折り曲げ罫線が形成された容器組立用シート状部材を前記折り曲げ罫線に沿って折り曲げて組み立てられ、矩形の底板部及び当該底板部の四辺に前記折り曲げ罫線を介して連結された４つの側板部により取り囲まれて形成された収容部を有する組立式容器であって、
一方の互いに対向する前記側板部は、それぞれの上部両端から横方向へ突出した突片部と、その突片部の先端から下方へ突出した引掛部を有し、
他方の互いに対向する前記側板部は、ぞれぞれの上端縁にその長手方向の所定範囲に渡って形成された凹部を有し、
前記凹部は、その中央部に配設されると共に前記引掛部の通過を許容する挿通部と、前記凹部の両端側に配設されると共に前記突片部を受ける受け部と、前記挿通部と前記受け部の間に配設されると共に前記挿通部と前記受け部の間での前記突片部の移動を許容するが前記引掛部の通過を阻止する段差部を有することを特徴とする組立式容器。
【請求項２】
前記突片部を前記挿通部と前記受け部との間で移動させる際に、前記突片部に所定の押圧力を加えることにより乗り越えることが可能な摺動部を前記段差部に設けた請求項１に記載の組立式容器。
【請求項３】
前記摺動部を円弧状に形成した請求項２に記載の組立式容器。
【請求項４】
前記突片部を前記挿通部と前記受け部との間で移動させる際に、前記突片部に所定の押圧力を加えることにより乗り越えることが可能な突起を前記段差部に設けた請求項１に記載の組立式容器。
【請求項５】
前記他方の互いに対向する前記側板部の下端縁に、前記底板部よりも下方へ突出した脚部を設けた請求項１から４のいずれか１項に記載の組立式容器。
【請求項６】
請求項１から５のいずれか１に記載の組立式容器を組み立てるために所定形状に形成されたことを特徴とする容器組立用シート状部材。
【発明の詳細な説明】
【技術分野】
【０００１】
本発明は、折り曲げ罫線が形成されたシートをその折り曲げ罫線に沿って折り曲げて組み立てられた組立式容器、及びその組立式容器を組み立てるための容器組立用シート状部材に関する。
【背景技術】
【０００２】
例えば、コンビニエンスストアなどで販売されている弁当の容器には、醤油やソース等の調味料を入れた樹脂製の袋が収容されている。袋内の調味料を使用する場合は、袋を破って適量の調味料をおかず等にかけるようにするが、一旦袋を破った後は、残った調味料が袋からこぼれないように、袋を弁当の容器などに立て掛けておかなければならない。
【０００３】
また、おかず等を入れるための紙製又はアルミ製のフィルム容器がある。この種のフィルム容器は変形しやすいため、特に液体や柔らかい物を入れた場合はそれらがフィルム容器からこぼれやすいといった問題がある。
【０００４】
そのため、調味料入りの袋を立て掛けたり、フィルム容器を変形しないように支持したりするための組立式容器があれば便利である。従来の組立式容器としては、例えば特許文献１に示すものが提案されている。
【０００５】
特許文献１に示す組立式容器は、図１２に示す容器組立用シート状部材を組み立てることによって形成される。この容器組立用シート状部材は、詳しくは、矩形の底面板１００と、その底面板１００の対向する対向端部に折り曲げ罫線ａを介して連結された一対の側面板２００と、それら側面板２００に折り曲げ罫線ｂを介して連結された折込板３００と、前記底面板１００の他の対向する対向端部に折り曲げ罫線ｃを介して連結された一対の側面板４００と、それら側面板４００の両端部に折り曲げ罫線ｄを介して連結されたフラップ板５００を有する。また、折込板３００と側面板２００との間の折り曲げ罫線ｂ上には、その両端側に係合突起２１０が設けられ、フラップ板５００には係合切込孔５１０が設けてある。
【０００６】
上記容器組立用シート状部材の組立方法は、図１３（Ａ）に示すように、各折込板３００を折り曲げて側面板２００に重ね合わせる。次に、図１３（Ｂ）に示すように、折込板３００を重ね合わせた一対の側面板２００を折り曲げて立たせる共に、他方の一対の側面板４００も折り曲げて立たせる。そして、図１３（Ｃ）に示すように、各フラップ板５００を折込板３００と側面板２００の重ね合わせた内面に差し込み、係合突起２１０をフラップ板５００に設けた係合切込孔５１０に係合させて組立を完了する。
【特許文献１】特開平１０−２１１９２１号公報
【発明の開示】
【発明が解決しようとする課題】
【０００７】
しかしながら、上記特許文献１に示すような組立式容器は、組立機構が複雑であり、組立作業が面倒であった。
【０００８】
本発明は、斯かる実情に鑑みて、容易に組立可能な組立式容器、及びその組立式容器を組み立てるための容器組立用シート状部材を提供する。
【課題を解決するための手段】
【０００９】
請求項１の発明は、折り曲げ罫線が形成された容器組立用シート状部材を前記折り曲げ罫線に沿って折り曲げて組み立てられ、矩形の底板部及び当該底板部の四辺に前記折り曲げ罫線を介して連結された４つの側板部により取り囲まれて形成された収容部を有する組立式容器であって、一方の互いに対向する前記側板部は、それぞれの上部両端から横方向へ突出した突片部と、その突片部の先端から下方へ突出した引掛部を有し、他方の互いに対向する前記側板部は、ぞれぞれの上端縁にその長手方向の所定範囲に渡って形成された凹部を有し、前記凹部は、その中央部に配設されると共に前記引掛部の通過を許容する挿通部と、前記凹部の両端側に配設されると共に前記突片部を受ける受け部と、前記挿通部と前記受け部の間に配設されると共に前記挿通部と前記受け部の間での前記突片部の移動を許容するが前記引掛部の通過を阻止する段差部を有するものである。
【００１０】
組み立てた状態で、突片部が受け部に受けられることによって、一方の対向する側板部は他方の対向する側板部に支持される。一方、前記他方の対向する側板部には折り曲げた方向と反対方向の戻り力が作用するが、段差部が引掛部の通過を阻止するので、前記他方の対向する側板部は引掛部によって係止される。さらに、前記一方の対向する側板部にも折り曲げた方向と反対方向の戻り力が作用することにより、突片部が受け部に受けられた状態を維持することができる。すなわち、突片部が挿通部側に戻るのを抑制することができ、引掛部の係止が解除されるのを防止することができる。
【００１１】
このように、本発明の組立式容器は、組み立てた状態で、各側板部の折り曲げ後の戻り力を利用して各側板部同士を係止することができる。そのため、特に側板部同士の係止解除防止機構を設けなくても、組立後の形状を維持することが可能となる。このため、構造の簡素化を図ることができ、従来の組立式容器に比べて、容易に組み立てることが可能となる。
【００１２】
請求項２の発明は、請求項１に記載の組立式容器において、前記突片部を前記挿通部と前記受け部との間で移動させる際に、前記突片部に所定の押圧力を加えることにより乗り越えることが可能な摺動部を前記段差部に設けたものである。
【００１３】
これにより、一旦、組立式容器を組み立てた後は、摺動部によって突片部が挿通部側に戻るのを確実に防止することができ、引掛部による側板部の係止が解除されるのを防止することができる。
【００１４】
請求項３の発明は、請求項２に記載の組立式容器において、前記摺動部を円弧状に形成したものである。
【００１５】
突片部の移動経路は円弧状となる。従って、摺動部を円弧状としたことにより、突片部が摺動部を円滑に乗り越えることができ、組立作業を行いやすくなる。
【００１６】
請求項４の発明は、請求項１に記載の組立式容器において、前記突片部を前記挿通部と前記受け部との間で移動させる際に、前記突片部に所定の押圧力を加えることにより乗り越えることが可能な突起を前記段差部に設けたものである。
【００１７】
これにより、一旦、組立式容器を組み立てた後は、突起によって突片部が挿通部側に戻るのを確実に防止することができ、引掛部による側板部の係止が解除されるのを防止することができる。
【００１８】
請求項５の発明は、請求項１から４のいずれか１項に記載の組立式容器において、前記他方の互いに対向する前記側板部の下端縁に、前記底板部よりも下方へ突出した脚部を設けたものである。
【００１９】
組立式容器をテーブル等の載置面に載置する場合は、脚部を載置面に接地させることにより、容器本体の姿勢が安定する。
【００２０】
請求項６の発明は、請求項１から５のいずれか１に記載の組立式容器を組み立てるために所定形状に形成された容器組立用シート状部材である。
【００２１】
本発明の容器組立用シート状部材を使用することにより、従来に比べて、組立式容器を容易に組み立てることができる。
【発明の効果】
【００２２】
本発明によれば、容器が必要な場合に、容器を容易に組み立てることができ便利である。
例えば、調味料が残った袋の開口部を上方にして本発明の組立式容器内に立て掛けることにより、袋から調味料がこぼれないように保持しておくことが可能である。また、おかず等を入れるための紙製又はアルミ製のフィルム容器を本発明の組立式容器内に収容することによって、フィルム容器を補強して支持することが可能である。このため、フィルム容器内に液体や柔らかい物を入れても、それらがフィルム容器からこぼれにくくなる。
【発明を実施するための最良の形態】
【００２３】
以下、添付の図面に基づいて、本発明の実施の形態を説明する。
図１は本発明の組立式容器の斜視図、図２は本発明の容器組立用シート状部材を展開した状態の平面図である。図２に示す容器組立用シート状部材Ｓは、紙やプラスチック、又は金属、あるいはそれら以外のある程度の剛性を有する素材を、所定形状に形成したものである。この容器組立用シート状部材Ｓを組み立てることによって、図１に示す組立式容器１が構成される。なお、容器組立用シート状部材Ｓは、扁平に形成されたシート部材以外に、そのシート部材に多数の孔が形成されたものや、表面に多少の凹凸が形成されたものなども含まれる。また、容器組立用シート状部材Ｓは、折り曲げることが可能であれば、特にその厚さは限定しない。
【００２４】
組立式容器１は、容器組立用シート状部材Ｓの中央部に配設された矩形の底板部２と、その底板部２の対向する対向端部に折り曲げ罫線ａを介して連結された一対の側板部３と、底板部２の他の対向する対向端部に折り曲げ罫線ｂを介して連結された一対の側板部４によって構成されている。なお、図１及び図２において、同一の符号の箇所は同一の部分を示している。
【００２５】
図１に示すように、一方の互いに対向する側板部３は、それぞれの上部両端から横方向へ突出した突片部５と、その突片部５から下方へ突出した引掛部６を有している。また、他方の互いに対向する側板部４は、ぞれぞれの上端縁にその長手方向の所定範囲に渡って形成された凹部７と、下端縁に設けた脚部１１を有する。以下、便宜的に、突片部５及び引掛部６を有する一対の側板部３を、前後の側板部３と呼び、凹部７及び脚部１１を有する一対の側板部４を、左右の側板部４と呼ぶことにする。
【００２６】
前記凹部７は、その中央部において底板部２と平行を成す直線状に配設された挿通部８と、凹部７の両端側において底板部２に対して傾斜するように配設された受け部９と、挿通部８と受け部９との間に配設された段差部１０を有している。
【００２７】
図３は図１の矢印Ａ方向又は矢印Ｂ方向から見た側面図である。
図３に示すように、前後の側板部３と左右の側板部４を立たせた状態で、挿通部８を形成する直線状の端縁は、引掛部６の下端縁と同等の高さ又はそれより下方に配設されている。すなわち、挿通部８は、引掛部６が左右の側板部４と交差する方向に通過するのを許容するように構成されている。また、引掛部６が挿通部８を通過する際、引掛部６と挿通部８とが干渉しないように、挿通部８と引掛部６の下端縁との間には隙間Ｇを設けることが好ましい。
【００２８】
一方、段差部１０の上端縁は、引掛部６の下端縁より上方であって、突片部５の下端縁と同等の高さ又はそれより下方に配設されている。すなわち、段差部１０は、突片部５が挿通部８と受け部９の間で（左右の側板部４に沿って）移動するのは許容するが、引掛部６が左右の側板部４と交差する方向に通過するのは阻止するように構成されている。
【００２９】
受け部９は、突片部５を受けて前又は後の側板部３を支持するものである。また、図３に示すように、左右の側板部４を立たせた状態で、受け部９の底板部２に対する傾斜角度αは、受け部９にて突片部５を受けたときの突片部５の底板部２に対する傾斜角度βと同じ角度に設定することが好ましい。このように、受け部９の傾斜角度αを設定することによって、突片部５をより安定して受けることが可能となるからである。なお、上記段差部１０は、少なくとも受け部９によって突片部５を受けた状態で引掛部６の通過を阻止できればよい。
【００３０】
左右の側板部４の下部に設けた一対の脚部１１は、本発明の組立式容器を載置する際に載置面に接触して容器本体を支持するためのものである。図３に示すように、脚部１１の接地部１１ａは底板部２よりも下方に突出している。このように左右の側板部４を立たせた状態で、接地部１１ａを底板部２よりも下方に突出させるために、図２において、接地部１１ａを形成するための切り込みは、左右の側板部４を折り曲げるための折り曲げ罫線ｂよりも、図の左右方向の中央側へずらした位置に形成されている。
【００３１】
図４及び図５は、上記段差部１０の変形例を示す。
図４に示す段差部１０は、突片部５を挿通部８と受け部９との間で移動させる際に、突片部５が摺動する摺動部１０ａを有している。詳しくは、図４に示す一点鎖線Ｒは、突片部５の下端縁５ａが移動する際の移動経路を示し、摺動部１０ａは前記移動経路Ｒに交差して突片部５の移動領域に進入するように配設されている。突片部５の移動領域に対する摺動部１０ａの進入量は、突片部５に所定の押圧力を加えることにより突片部５が摺動部１０ａを乗り越えることが可能であれば、適宜設定することが可能である。また、突片部５の移動経路Ｒは、側板部４の（下端の）折り曲げ部を中心とした円弧状となるため、突片部５が摺動部１０ａを円滑に乗り越えることができるように、摺動部１０ａを円弧状に形成することが好ましい。
【００３２】
また、図５に示す段差部１０は、小さな突起１０ｂを設けている。この突起１０ｂの先端は、突片部５の下端縁５ａの移動経路Ｒに交差して突片部５の移動領域に進入するように配設されている。突片部５の移動領域に対する突起１０ｂの進入量は、突片部５に所定の押圧力を加えることにより突片部５が突起１０ｂを乗り越えることが可能であれば、適宜設定することが可能である。
【００３３】
次に、図２及び図６〜図８に基づいて、本発明の組立式容器の組立方法について説明する。
まず、図２において、前後の一対の側板部３を折り曲げ罫線ａに沿って折り曲げ、図６に示すように、前後の側板部３を底板部２に対して略垂直方向に立たせる。次いで、左右の一対の側板部４を折り曲げ罫線ｂに沿って折り曲げ、図７に示すように、左右の側板部４を底板部２に対して略垂直方向に立たせる。このとき、前後の側板部３に設けた引掛部６が対応する左右の側板部４の挿通部８の上方を通過し、引掛部６が側板部４の外側へ突出した状態となる。また、同時に、左右の側板部４の下部に底板部２から下方へ突出した脚部１１が形成される。
【００３４】
そして、図８に示すように、前後の側板部３を互いに離れる方向に揺動させると、前後の側板部３に設けた突片部５は対応する段差部１０の上を移動し受け部９に当接する。この状態で、組立が完了する。
【００３５】
上記組み立てた状態で、左右の側板部４には折り曲げた方向と反対方向の戻り力が作用する。つまり、左右の側板部４は互いに離れる方向に揺動しようとするが、段差部１０が引掛部６の通過を阻止するので、左右の側板部４は引掛部６によって係止される。一方、前後の側板部３にも折り曲げた方向と反対方向の戻り力が作用する。この戻り力が作用することにより、前後の側板部３には互いに離れる方向に揺動しようとするので、突片部５は受け部９によって受けられた状態を維持することができる。これにより、突片部５が挿通部８側に戻るのを抑制することができ、引掛部６の係止が解除されるのを防止することが可能となる。
【００３６】
本発明によれば、各側板部３，４の折り曲げ後の戻り力を利用して、各側板部３，４同士を係止することができるので、特に係止解除防止機構を設けなくても、組立後の形状を維持することができる。これにより、構造の簡素化が図れるため、従来の組立式容器に比べて、組立を容易に行うことができる。
【００３７】
また、図４において説明した実施形態は、段差部１０に摺動部１０ａを設けているので、突片部５が段差部１０上を移動する際、突片部５が摺動部１０ａを乗り越えるには、突片部５に所定の押圧力を加えることが必要である。このため、一旦、本発明の組立式容器を組み立てた後は、摺動部１０ａによって突片部５が挿通部８側に戻るのを確実に防止することができる。
【００３８】
また、図５において説明した実施形態は、段差部１０に突起１０ｂを設けているので、突片部５が段差部１０上を移動する際、突片部５が突起１０ｂを乗り越えるには、突片部５に所定の押圧力を加えることが必要となる。従って、図４の実施形態と同様に、一旦、本発明の組立式容器を組み立てた後は、突起１０ｂによって突片部５が挿通部８側に戻るのを確実に防止することができる。
【００３９】
また、組み立てた組立式容器をテーブル等の載置面に載置する場合は、脚部１１を載置面に接地させることにより、容器本体の姿勢を安定して載置することができる。
【００４０】
なお、組み立てた組立式容器を展開することによって容器組立用シート状部材に戻すことが可能であるが、その手順は、上記説明した組立手順を逆に行えばよいので説明を省略する。
【００４１】
図９〜図１１に本発明の組立式容器の使用例を示す。
図９の使用例では、底板部２と各側板部３，４によって取り囲まれて形成された収容部１２に、開封した調味料用の袋１３を立て掛けて収容している。このように、袋１３の開口部１３ａを上方にして立て掛けることにより、残った調味料が袋１３からこぼれないように保持しておくことが可能である。また、このように袋１３を立て掛けておけば、袋１３の開口部１３ａがテーブルなどに接触することがなく、衛生的に使用することができる。
【００４２】
図１０に示す使用例では、底板部２と各側板部３，４によって取り囲まれて形成された収容部１２に、紙製又はアルミ製のフィルム容器１４を収容している。この種のフィルム容器１４は変形しやすいものであるが、フィルム容器１４を本発明の組立式容器内に収容することによって、フィルム容器１４を補強して支持することが可能である。これにより、フィルム容器１４内に液体や柔らかい物を入れても、それらがフィルム容器１４からこぼれにくくなる。
【００４３】
また、図１１に示す使用例に示すように、底板部２と各側板部３，４によって取り囲まれて形成された収容部１２に、紙製又はプラスチック製のコップ１５を収容してもよい。このようなコップ１５は、上記フィルム容器１４に比べて変形しにくいものであるが、このようにコップ１５を本発明の組立式容器内に収容することによって、コップ１５を補強して支持することが可能である。また、本発明の組立式容器を紙やプラスチック等で形成した場合は、フィルム容器１４やコップ１５の断熱効果を向上させることができる。さらに、図示省略するが、本発明の組立式容器の収容部１２に、樹脂製のフィルムを敷設することにより、簡易的な皿やコップとして使用することもできる。
【００４４】
以上、本発明の使用例について説明したが、本発明は上記使用例に限定されることなく種々の物を収容可能である。また、図９〜図１１に示すように、本発明の組立式容器は、収容する物の大きさや形状等に応じて収容部１２の広さや深さ等を適宜変更することも可能である。
【図面の簡単な説明】
【００４５】
【図１】本発明の組立式容器の斜視図である。
【図２】本発明の容器組立用シート状部材を展開した状態の平面図である。
【図３】前記組立式容器の側面図である。
【図４】前記組立式容器の変形例を示す要部拡大図である。
【図５】前記組立式容器の他の変形例を示す要部拡大図である。
【図６】前記組立式容器の組立方法を説明するための斜視図である。
【図７】前記組立式容器の組立方法を説明するための斜視図である。
【図８】前記組立式容器の組立方法を説明するための斜視図である。
【図９】前記組立式容器の使用例を示す斜視図である。
【図１０】前記組立式容器の他の使用例を示す斜視図である。
【図１１】前記組立式容器のさらに別の使用例を示す斜視図である。
【図１２】従来の組立式容器を組み立てるための容器組立用シート状部材を展開した状態の平面図である。
【図１３】従来の組立式容器の組立方法を説明するための斜視図であって、（Ａ）と（Ｂ）は全体図、（Ｃ）は要部拡大図である。
【符号の説明】
【００４６】
１    組立式容器
２    底板部
３    側板部
４    側板部
５    突片部
６    引掛部
７    凹部
８    挿通部
９    受け部
１０  段差部
１１  脚部
１２  収容部
Ｓ    容器組立用シート状部材
【図１】
2010111408.tif 000003
【図２】
2010111408.tif 000004
【図３】
2010111408.tif 000005
【図４】
2010111408.tif 000006
【図５】
2010111408.tif 000007
【図６】
2010111408.tif 000008
【図７】
2010111408.tif 000009
【図８】
2010111408.tif 000010
【図９】
2010111408.tif 000011
【図１０】
2010111408.tif 000012
【図１１】
2010111408.tif 000013
【図１２】
2010111408.tif 000014
【図１３】
2010111408.tif 000015